(57)【要約】【課題】画面からの光が反射して、リモートコントローラからの赤外線信号を受光する受光部に飛び込むレベルが強くなるときにも、電源投入直後においてリモートコントローラの操作が受け付けされなくなるという事態の発生を防止する。【解決手段】昇圧回路６が放電管７を駆動する放電管駆動状態と駆動を停止する駆動停止状態との切り換えを行う駆動状態切換手段２を備えた構成において、駆動状態切換手段２は、放電管７の駆動の開始時の期間である初期駆動期間においては初期対応周期でもって放電管駆動状態と駆動停止状態との切り換えを行い、初期対応周期を、放電管７の輝度変化の周波数成分が、赤外線信号１１１の搬送波の周波数において減少する周期としている。【選択図】  図１
2006210024.tif 000002
【特許請求の範囲】
【請求項１】
商用放送を受信して得られた映像信号を液晶パネルに表示するテレビ回路部と、
リモートコントローラから送信される赤外線信号を受光する受光部と、
受光部によって受光された赤外線信号が示す指示に基づいてテレビ回路部の制御を行うテレビ部制御手段と、
液晶パネルのバックライトの光源となる放電管と、
昇圧トランスの一次コイルに流れる電流をスイッチングすることによって昇圧トランスの二次コイルに発生した高圧出力でもって放電管を駆動する昇圧回路と、
昇圧回路の状態を放電管を駆動する放電管駆動状態と放電管の駆動を停止する駆動停止状態とに切り換える駆動状態切換手段とを備えた液晶表示テレビ受像機において、
昇圧回路には放電管駆動状態と駆動停止状態との切り換えを行う信号が入力される信号入力端子が設けられ、
放電管の環境温度を検出する温度センサと、
第１の出力端子と第２の出力端子とを有するマイクロコンピュータと、
第１の出力端子から送出される信号と第２の出力端子から送出される信号とを前記信号入力端子に導く信号入力回路とを備え、
駆動状態切換手段は、
放電管の駆動の開始時の期間である初期駆動期間においては初期対応周期でもって放電管駆動状態と駆動停止状態との切り換えを行う初期駆動制御手段と、
初期駆動期間の経過後において、放電管駆動状態とする期間と駆動停止状態とする期間との比率をバックライトの輝度に対応した比率として放電管を点灯させるバックライト輝度制御手段とを有し、
初期対応周期を、放電管の輝度変化の周波数成分が赤外線信号の搬送波の周波数において減少する周期とし、
初期駆動期間を温度センサによって検出された温度に対応して変化させ、
初期駆動制御手段は第１の出力端子を介して送出する信号でもって放電管駆動状態と駆動停止状態との切り換えを行い、
バックライト輝度制御手段は第２の出力端子を介して送出する信号でもって放電管駆動状態と駆動停止状態との切り換えを行うことを特徴とする液晶表示テレビ受像機。
【請求項２】
商用放送を受信して得られた映像信号を液晶パネルに表示するテレビ回路部と、
リモートコントローラから送信される赤外線信号を受光する受光部と、
受光部によって受光された赤外線信号が示す指示に基づいてテレビ回路部の制御を行うテレビ部制御手段と、
液晶パネルのバックライトの光源となる放電管と、
入力される電流をスイッチングすることによって発生した高圧出力でもって放電管を駆動する昇圧回路と、
昇圧回路の状態を放電管を駆動する放電管駆動状態と放電管の駆動を停止する駆動停止状態とに切り換える駆動状態切換手段とを備えた液晶表示テレビ受像機において、
駆動状態切換手段は、放電管の駆動の開始時の期間である初期駆動期間においては初期対応周期でもって放電管駆動状態と駆動停止状態との切り換えを行い、
初期対応周期を、放電管の輝度変化の周波数成分が赤外線信号の搬送波の周波数において減少する周期としたことを特徴とする液晶表示テレビ受像機。
【請求項３】
放電管の環境温度を検出する温度センサを備え、
初期駆動期間を温度センサによって検出された温度に対応して変化させることを特徴とする請求項２に記載の液晶表示テレビ受像機。
【発明の詳細な説明】
【技術分野】
【０００１】
本発明は、昇圧回路の状態を、放電管を駆動する放電管駆動状態と駆動を停止する駆動停止状態とに切り換える駆動状態切換手段を備えた液晶表示テレビ受像機に係り、より詳細には、放電管の駆動の開始時においては、放電管の輝度変化の周波数成分がリモートコントロール用の赤外線信号の搬送波の周波数において減少する周期でもって放電管駆動状態と駆動停止状態との切り換えを行う液晶表示テレビ受像機に関するものである。
【背景技術】
【０００２】
受信した商用放送を液晶パネルを用いて表示するテレビ受像機では、液晶パネルの後方にバックライトが設けられており、このバックライトの光源には、放電管の一種である冷陰極管が使用されている。図８は、この冷陰極管を駆動する昇圧回路を示している。すなわち、マイクロコンピュータ９ａの機能に一部により構成されたバックライト輝度制御手段４が、第２の出力端子３２を介して、昇圧回路６の信号入力端子３３にＬレベルを送出すると、トランジスタＱ１はオフ状態となる。このため、ＦＥＴ３６，３７は、ゲートにバイアス電圧が印加されるので、交互にオンとオフとを繰り返す。その結果、一次コイルＬ１に流れる電流がスイッチングされて、二次コイルＬ２に高圧出力が発生し、冷陰極管７が点灯駆動される。
【０００３】
一方、信号入力端子３３にＨレベルを送出して、トランジスタＱ１をオン状態とするときでは、ＦＥＴ３６，３７のゲートは、ダイオードＤ６，Ｄ７とトランジスタＱ１とを介して接地されるので、バイアス電圧は０Ｖ近傍となり、発振が停止する。その結果、二次コイルＬ２における高圧出力の発生が停止され、冷陰極管７は消灯される。従って、冷陰極管７を最大輝度で点灯させるときでは、バックライト輝度制御手段４は、信号入力端子３３に送出する信号のレベルをＬレベルに維持し、冷陰極管７を１００％のデューティ比でもって点灯する。また、冷陰極管７を中程度の輝度で点灯させるときでは、信号入力端子３３に送出するＬレベルの比率を７０％に設定する。すなわち、７０％のデューティ比でもって冷陰極管７を点灯する。また、冷陰極管７を最小輝度で点灯させるときでは、信号入力端子３３に送出するＬレベルの比率を５０％に設定する。すなわち、５０％のデューティ比でもって冷陰極管７を点灯する（第１の従来技術とする）。
【０００４】
また、以下に示す技術が提案されている（第２の従来技術とする）。すなわち、この技術では、冷陰極管の周囲温度を検出する温度センサを設けている。また、冷陰極管を点灯するインバータ本体の発振周波数を、冷陰極管の周囲温度と反比例するように変化させる発振周波数可変制御回路部を設けている。その結果、冷陰極管の周囲温度が低いときにはインバータ本体の発振周波数が高くなるため、冷陰極管の輝度が急速に増加するとともに、冷陰極管の温度も速く上昇する。そして、冷陰極管の温度が高くなると、インバータ本体の発振周波数が低くなるので、輝度の上昇が抑制されることになる。このため、温度が低いときにも、冷陰極管は、所定の輝度を有する安定な点灯状態に速やかに移行することになる（例えば、特許文献１参照）。
【特許文献１】特開平９−１０２３９７号公報
【発明の開示】
【発明が解決しようとする課題】
【０００５】
しかしながら、第１の従来技術を用いる場合には、以下に示す問題を生じていた。すなわち、図７に示したように、テレビ本体４１の画面４２から放射される光４２１は、近くに家具４３等がある場合、その一部が家具４３によって反射され、リモートコントローラ（以下ではリモコンと称する）１１からの赤外線信号１１１を受光する受光部１０に飛び込む（４２２により示す）。このようなときにも、反射光４２２が赤外線信号１１１を受光する際の障害とならないようにするため、昇圧回路６のスイッチング周波数が選定されている。
【０００６】
すなわち、テレビ本体４１の画面４２から放射される光４２１の強度は、冷陰極管７の輝度に対応して変化する。従って、反射光４２２の強度も、冷陰極管７の輝度の変化に対応して変化する。一方、冷陰極管７は、昇圧回路６のスイッチング周波数の周期でもって輝度が変化する。このため、昇圧回路６のスイッチング周波数を、赤外線信号１１１の搬送波の周波数である３６．７ＫＨｚから充分に離れた周波数の５６ＫＨｚとすることによって、反射光４２２が受光部１０に飛び込むときにも、反射光４２２が赤外線信号１１１を受光する際の障害とならないようにしている。
【０００７】
しかし、冷陰極管７の点灯を開始した直後では、冷陰極管７内のガスの温度が低いため、放電が安定せず、不安定な放電となる。このため、冷陰極管７の輝度変化のスペクトラムは、図３（Ｂ）に示したように、スイッチング周波数である５６ＫＨｚのスペクトラム（５１より示す）の他に、放電の不安定さが原因となるスペクトラム５２ａ，５２ｂを含むようになる。また、スペクトラム５２ａが、赤外線信号１１１の搬送波の周波数である３６．７ＫＨｚの近傍に周波数の中心を持つスペクトラムとなる場合がある。そして、このような事態が生じる場合では、受光部１０から反射光４２２を見ると、反射光４２２はレベルの大きな外乱ノイズとなる。その結果、受光部１０における赤外線信号１１１の受光に支障を生じ、リモコン１１のキースイッチを操作したにもかからわず、その操作が受け付けされないという不具合を生じる。
【０００８】
一方、昇圧回路６の信号入力端子３３に送出するレベルを、所定周期（約３．３ｍＳ）でもってＨレベルとＬレベルとに切り換えることで、冷陰極管７を７０％のデューティ比や５０％のデューティ比で点灯する場合には、冷陰極管７の放電の不安定さの状態が、１００％のデューティ比で点灯した場合の不安定さの状態から変化する。従って、放電の不安定さが原因となって発生するスペクトラムも、図３（Ｂ）のスペクトラム５２ａ，５２ｂから、図３（Ｃ）のスペクトラム５３ａ，５３ｂに変化する。しかし、この場合であっても、スペクトラム５３ａの中心周波数が、赤外線信号１１１の搬送波の周波数（３６．７ＫＨｚ）の近傍となるため、リモコン１１のキースイッチの操作が受け付けされないという不具合が生じる。
【０００９】
そして、放電によって冷陰極管７内の温度が高まり、内部のガス圧が高まるとき（例えば、冷陰極管７の点灯を開始して後、６０秒が経過したとき等）では、放電が安定する。従って、このときでは、冷陰極管７の輝度変化におけるスペクトラムは、図３（Ａ）に示したスペクトラムとなる。すなわち、放電の不安定さが原因となって生じたスペクトラム（スペクトラム５２ａ，５２ｂ、あるいは、スペクトラム５３ａ，５３ｂ）が消え、スイッチング周波数に対応するスペクトラム５１のみとなる。このため、放電によって冷陰極管７内の温度が高まり、内部のガス圧が高まって、放電が安定するときでは、赤外線信号１１１は受光部１０によって正常に受光され、リモコン１１のキースイッチの操作が受け付けされないという不具合は解消される。
【００１０】
つまり、第１の従来技術においては、バックライトの輝度を、最大輝度や中程度の輝度、あるいは最小輝度のいずれの輝度とする場合であっても、電源がオンされて冷陰極管７が点灯された後、冷陰極管７内のガスが温まるまでの期間（例えば約３０秒）においては、受光部１０に飛び込む反射光４２２のレベルが大きい場合、リモコン１１のキースイッチの操作が受け付けされないという不具合が発生していた。
【００１１】
第２の従来技術は、冷陰極管の周囲温度を検出する温度センサを設け、冷陰極管を点灯するインバータ本体の発振周波数を、冷陰極管の周囲温度と反比例するように変化させることによって、温度が低いときにも、冷陰極管を、所定の輝度を有する安定な点灯状態に速やかに移行させる技術となっている。このため、第１の従来技術を用いた場合に生じる問題、すなわち、反射光４２２が受光部１０に飛び込むレベルが大きいときでは、電源をオンした直後において、リモコン１１のキースイッチの操作が受け付けされないという問題を解消する観点からは、適用することが困難な技術となっている。
【００１２】
本発明は、上記した問題点を解決するために創案されたものであり、その目的は、画面からの光が反射して、リモートコントローラからの赤外線信号を受光する受光部に飛び込むレベルが強くなるときにも、電源投入直後においてリモートコントローラの操作が受け付けされなくなるという事態の発生を防止することのでき、且つ、画面からの光の反射光がリモートコントローラからの赤外線信号を受光する受光部に飛び込むために、電源投入直後においてリモートコントローラの操作が受け付けされなくなるという事態の発生を防止するときにも、画像の輝度が設定された輝度からずれた輝度となる期間を短くすることのでき、且つ、放電管の放電が不安定なため、電源投入直後においてリモートコントローラの操作が受け付けされなくなるという事態の発生を防止しない装置に適用するときにも、装置の変更の手間を少なくすることのできる液晶表示テレビ受像機を提供することにある。
【００１３】
また本発明の目的は、放電管の駆動の開始時においては、放電管の輝度変化における周波数成分がリモートコントローラからの赤外線信号の搬送波の周波数において減少する周期でもって放電管駆動状態と駆動停止状態との切り換えを行うことにより、画面からの光が反射して、リモートコントローラからの赤外線信号を受光する受光部に飛び込むレベルが強くなるときにも、電源投入直後においてリモートコントローラの操作が受け付けされなくなるという事態の発生を防止することのできる液晶表示テレビ受像機を提供することにある。
【００１４】
また、上記目的に加え、放電管の輝度変化における周波数成分がリモートコントローラからの赤外線信号の搬送波の周波数において減少する周期でもって放電管駆動状態と駆動停止状態との切り換えを行う期間を、放電管の環境温度に対応して変化させることにより、放電管の放電が不安定なため、電源投入直後においてリモートコントローラの操作が受け付けされなくなるという事態の発生を防止するときにも、画像の輝度が設定された輝度からずれた輝度となる期間を短くすることのできる液晶表示テレビ受像機を提供することにある。
【課題を解決するための手段】
【００１５】
上記の課題を解決するため、本発明に係る液晶表示テレビ受像機は、商用放送を受信して得られた映像信号を液晶パネルに表示するテレビ回路部と、リモートコントローラから送信される赤外線信号を受光する受光部と、受光部によって受光された赤外線信号が示す指示に基づいてテレビ回路部の制御を行うテレビ部制御手段と、液晶パネルのバックライトの光源となる放電管と、昇圧トランスの一次コイルに流れる電流をスイッチングすることによって昇圧トランスの二次コイルに発生した高圧出力でもって放電管を駆動する昇圧回路と、昇圧回路の状態を、放電管を駆動する放電管駆動状態と放電管の駆動を停止する駆動停止状態とに切り換える駆動状態切換手段とを備えた液晶表示テレビ受像機に適用している。そして、昇圧回路には放電管駆動状態と駆動停止状態との切り換えを行う信号が入力される信号入力端子が設けられ、放電管の環境温度を検出する温度センサと、第１の出力端子と第２の出力端子とを有するマイクロコンピュータと、第１の出力端子から送出される信号と第２の出力端子から送出される信号とを前記信号入力端子に導く信号入力回路とを備えている。また、駆動状態切換手段は、放電管の駆動の開始時の期間である初期駆動期間においては初期対応周期でもって放電管駆動状態と駆動停止状態との切り換えを行う初期駆動制御手段と、初期駆動期間の経過後において、放電管駆動状態とする期間と駆動停止状態とする期間との比率をバックライトの輝度に対応した比率として放電管を点灯させるバックライト輝度制御手段とを有しており、初期対応周期を、放電管の輝度変化の周波数成分が赤外線信号の搬送波の周波数において減少する周期とし、初期駆動期間を温度センサによって検出された温度に対応して変化させ、初期駆動制御手段は第１の出力端子を介して送出する信号でもって放電管駆動状態と駆動停止状態との切り換えを行い、バックライト輝度制御手段は第２の出力端子を介して送出する信号でもって放電管駆動状態と駆動停止状態との切り換えを行うようになっている。
【００１６】
すなわち、放電管の駆動の開始時である初期駆動期間においては、放電管の温度が低く、内部のガス圧が低いため、放電管の放電は不安定となる。そして、放電管の放電が不安定となる場合、放電管の輝度変化には、昇圧回路のスイッチングの周期とは異なる周波数のスペクトラム（周波数成分）が発生する。また、放電の不安定さが原因となって生じたスペクトラムの周波数は、放電管駆動状態と駆動停止状態とを切り換える周期を変えると変化する。従って、放電の不安定さが原因となって生じたスペクトラムの周波数を、赤外線信号の搬送波の周波数から隔たった周波数とする周期があり、この周期を初期対応周期とするときでは、放電の不安定さが原因となって生じたスペクトラムは、受光部に影響しないスペクトラムとなる。また、放電管の環境温度が低いときには、放電管が温まって、放電の不安定さが無くなるまでの時間は長い。一方、放電管の環境温度が高いときには、放電管が温まって、放電の不安定さが無くなるまでの時間は短くなる。従って、放電管の環境温度が高いときには初期駆動期間を短くしても、放電管の輝度変化には、赤外線信号の搬送波の周波数に近接した周波数のスペクトラムが発生しない。また、バックライト輝度制御手段を備えた構成に適用するときでは、初期駆動制御手段を追加して設けるのみで、バックライト輝度制御手段の構成を変更することなく、初期対応周期でもって、放電管駆動状態と駆動停止状態との切り換えを行うことができる。
【００１７】
また本発明に係る液晶表示テレビ受像機は、商用放送を受信して得られた映像信号を液晶パネルに表示するテレビ回路部と、リモートコントローラから送信される赤外線信号を受光する受光部と、受光部によって受光された赤外線信号が示す指示に基づいてテレビ回路部の制御を行うテレビ部制御手段と、液晶パネルのバックライトの光源となる放電管と、入力される電流をスイッチングすることによって発生した高圧出力でもって放電管を駆動する昇圧回路と、昇圧回路の状態を、放電管を駆動する放電管駆動状態と放電管の駆動を停止する駆動停止状態とに切り換える駆動状態切換手段とを備えた液晶表示テレビ受像機に適用している。そして、駆動状態切換手段は、放電管の駆動の開始時の期間である初期駆動期間においては初期対応周期でもって放電管駆動状態と駆動停止状態との切り換えを行い、初期対応周期を、放電管の輝度変化の周波数成分が赤外線信号の搬送波の周波数において減少する周期としている。
【００１８】
すなわち、放電管の駆動の開始時である初期駆動期間においては、放電管の温度が低く、内部のガス圧が低いため、放電管の放電は不安定となる。そして、放電管の放電が不安定となる場合、放電管の輝度変化には、昇圧回路のスイッチングの周期とは異なる周波数のスペクトラム（周波数成分）が発生する。また、放電の不安定さが原因となって生じたスペクトラムの周波数は、放電管駆動状態と駆動停止状態とを切り換える周期を変えると変化する。従って、放電の不安定さが原因となって生じたスペクトラムの周波数を、赤外線信号の搬送波の周波数から隔たった周波数とする周期があり、この周期を初期対応周期とするときでは、放電の不安定さが原因となって生じたスペクトラムは、受光部に影響しないスペクトラムとなる。
【００１９】
また上記構成に加え、放電管の環境温度を検出する温度センサを備え、初期駆動期間を温度センサによって検出された温度に対応して変化させている。すなわち、放電管の環境温度が低いときには、放電管が温まって、放電の不安定さが無くなるまでの時間は長い。一方、放電管の環境温度が高いときには、放電管が温まって、放電の不安定さが無くなるまでの時間は短くなる。このため、放電管の環境温度が高く、放電の不安定さが短時間で解消されるときでは、初期駆動期間を短くすることができる。
【発明の効果】
【００２０】
本発明によれば、放電の不安定さが原因となるスペクトラム（周波数成分）が生じる期間である初期駆動期間においては、放電の不安定さが原因となって生じたスペクトラムの周波数が、リモートコントローラから送信される赤外線信号の搬送波の周波数から隔たる周期である初期対応周期でもって、放電管駆動状態と駆動停止状態とに切り換えている。また、初期対応周期でもって放電管駆動状態と駆動停止状態とに切り換える期間を、放電管の環境温度によって変化させている。従って、放電管の環境温度が高く、放電の不安定さが短時間で解消されるときでは、初期駆動期間を短くすることができる。また、バックライトの輝度の制御を行うバックライト輝度制御手段が占有する出力端子とは異なる出力端子を用いて、初期対応周期による放電管駆動状態と駆動停止状態との切り換えを行っているので、バックライト輝度制御手段の構成を変更することなく、初期対応周期による制御が可能になっている。このため、画面からの光が反射して、リモートコントローラからの赤外線信号を受光する受光部に飛び込むレベルが強くなるときにも、電源投入直後においてリモートコントローラの操作が受け付けされなくなるという事態の発生を防止することができ、且つ、放電管の放電が不安定なため、電源投入直後においてリモートコントローラの操作が受け付けされなくなるという事態の発生を防止するときにも、画像の輝度が設定された輝度からずれた輝度となる期間を短くすることができ、且つ、放電管の放電が不安定なため、電源投入直後においてリモートコントローラの操作が受け付けされなくなるという事態の発生を防止しない装置に適用するときにも、装置の変更の手間を少なくすることができる。
【００２１】
また、本発明によれば、放電の不安定さが原因となるスペクトラム（周波数成分）が生じる期間である初期駆動期間においては、放電の不安定さが原因となって生じたスペクトラムの周波数が、リモートコントローラから送信される赤外線信号の搬送波の周波数から隔たる周期である初期対応周期でもって、放電管駆動状態と駆動停止状態とに切り換えている。このため、画面からの光が反射して、リモートコントローラからの赤外線信号を受光する受光部に飛び込むレベルが強くなるときにも、電源投入直後においてリモートコントローラの操作が受け付けされなくなるという事態の発生を防止することができる。
【００２２】
また、さらに、初期対応周期でもって放電管駆動状態と駆動停止状態とに切り換える期間である初期駆動期間を、放電管の環境温度に対応して変化させている。従って、放電管の環境温度が高く、放電の不安定さが短時間で解消されるときでは、初期駆動期間を短くすることができる。このため、放電管の放電が不安定なため、電源投入直後においてリモートコントローラの操作が受け付けされなくなるという事態の発生を防止するときにも、画像の輝度が設定された輝度からずれた輝度となる期間を短くすることができる。
【発明を実施するための最良の形態】
【００２３】
以下、本発明の実施の形態について図を参照して説明する。
【００２４】
図１は、本発明に係る液晶表示テレビ受像機の一実施形態の電気的構成を示すブロック線図であり、図８に示す従来技術と同一となるブロックには、図８における符号と同一符号を付与している。
【００２５】
図において、平面視形状が略長方形状である液晶パネル２１の後方（図面の右側）には、平面視形状が液晶パネル２１と略同一形状である拡散板２２が設けられている。また、拡散板２２の後方には、光源となる冷陰極管（放電管）７が設けられている。また、液晶パネル２１と拡散板２２と冷陰極管７とは、反射板２３に取り付けられている。なお、冷陰極管７は、液晶パネル２１の正面側から見るときにはＵ字形状であり、その個数は２個となっている。また、冷陰極管７、拡散板２２、反射板２３はバックライトを構成している。
【００２６】
温度センサ１３は、冷陰極管７の環境温度を検出するとともに、検出結果を、増幅回路等からなるセンサ信号処理回路１４を介して、マイコン９に送出する。テレビ回路部８は、チューナ部、映像信号処理回路等を含むブロックとなっており、マイクロコンピュータ（以下では、マイコンと称する）９によって指示されたチャンネルの商用放送を受信する。そして、商用放送を受信し、所定処理して得られた映像信号を液晶パネル２１に送出することによって、商用放送の画像を液晶パネル２１に表示する。
【００２７】
昇圧回路６は、入力される電流をスイッチングすることによって発生した高圧出力でもって冷陰極管７を駆動する。信号入力回路５は、マイコン９に設けられた第１の出力端子３１から送出される信号と、マイコン９に設けられた第２の出力端子３２から送出される信号とを、昇圧回路６に設けられた信号入力端子３３に導く。
【００２８】
受光部１０は、リモコン１１から送信される赤外線信号１１１を受光するとともに、受光によって得られた信号をマイコン９に送出する。キースイッチ部１２は、テレビ本体４１の前面パネルに設けられた電源キー（図示を省略）等のキースイッチ群であり、ユーザからの指示が入力される。そして、入力された指示に対応する信号をマイコン９に送出する。
【００２９】
マイコン９は、液晶表示テレビ受像機としての主要動作を制御する。このため、テレビ部制御手段１と駆動状態切換手段２とを、その機能によって構成する。テレビ部制御手段１は、受光部１０によって受光された赤外線信号１１１が示す指示、あるいは、キースイッチ部１２に入力された指示に基づいてテレビ回路部８や図示されない電源部の動作（受信するチャンネル、あるいは、電源のオンオフ、音量の増減等）を制御する。
【００３０】
駆動状態切換手段２は、冷陰極管７の点灯・消灯の制御、および、点灯時の輝度を制御するブロックとなっている。このため、初期駆動制御手段３とバックライト輝度制御手段４とを備えている。
【００３１】
バックライト輝度制御手段４は、図８を用いて説明した従来技術における構成と同一となっている。すなわち、電源オフ状態となるときには、第２の出力端子３２と信号入力回路５とを介して、信号入力端子３３にＨレベルを送出することにより、昇圧回路６の状態を、高圧出力の発生を停止する駆動停止状態（冷陰極管７の駆動を停止する状態）に設定する。また、電源オン状態においては、昇圧回路６の状態を動作状態（冷陰極管７を点灯する状態）とする。なお、動作状態とするときでは、高圧出力を発生する放電管駆動状態の期間と、高圧出力の発生を停止する駆動停止状態の期間との比率を制御することでもって、冷陰極管７の輝度（バックライトの輝度）を目標とする輝度に設定する。
【００３２】
すなわち、冷陰極管７を最大の輝度で点灯させるとき（バックライトの輝度を最大とするとき）では、放電管駆動状態の期間の比率を１００％とする（Ｌレベルを出力する期間を１００％とする）。また、冷陰極管７を中程度の輝度で点灯させるときでは、放電管駆動状態の期間の比率を７０％、駆動停止状態の期間の比率を３０％とする（Ｌレベルを出力する期間を７０％とする）。また、冷陰極管７を最小の輝度で点灯させるときでは、放電管駆動状態の期間の比率を５０％、駆動停止状態の期間の比率を５０％とする（Ｌレベルを出力する期間を５０％とする）。なお、放電管駆動状態と駆動停止状態との切り換えの周期は約３．３ｍＳとなっている。
【００３３】
初期駆動制御手段３は、冷陰極管７の駆動の開始時の期間（電源オンに移行した直後の期間）である初期駆動期間においては、初期対応周期（例えば、１．２５ｍＳ等）でもって、昇圧回路６の動作状態を、放電管駆動状態と駆動停止状態とに切り換えることにより、冷陰極管７の輝度変化のスペクトラム（周波数成分）のうち、放電の不安定さが原因となって生じたスペクトラムの周波数が、赤外線信号１１１の搬送波の周波数（３６．７ＫＨｚ）から離れるようにする。また、初期駆動期間を、温度センサ１３によって検出された温度に対応して、例えば、３分（検出された温度が０℃のとき）から０秒（検出された温度が４０℃のとき）の範囲で変化させる。
【００３４】
なお、初期駆動制御手段３は、マイクロコンピュータ９に設けられた出力端子である第１の出力端子３１と信号入力回路５とを介して、信号入力端子３３に、ＨレベルまたはＬレベルを送出することにより、昇圧回路６の動作を制御する。また、駆動状態切換手段２は、マイクロコンピュータ９に設けられた出力端子である第２の出力端子３２と信号入力回路５とを介して、信号入力端子３３に、ＨレベルまたはＬレベルを送出することにより、昇圧回路６の動作を制御する。
【００３５】
図２は、信号入力回路５と昇圧回路６との詳細な電気的接続を示す回路図である。
【００３６】
昇圧回路６は、昇圧トランス３４、ＦＥＴ３６，３７、トランジスタＱ１，Ｑ２、ツェナーダイオードＤ３、ダイオードＤ６，Ｄ７、抵抗Ｒ１〜Ｒ７、および、コンデンサＣ１を備えており、トランジスタＱ２のコレクタには１３Ｖの直流電源Ｐ＋が導かれている。また、トランジスタＱ２のベースと接地レベルとの間にはツェナーダイオードＤ３が接続されている。また、トランジスタＱ２のコレクタとベースとの間には、ツェナーダイオードＤ３に電流を供給するための抵抗Ｒ３が接続されている。このため、トランジスタＱ２は、直流電源Ｐ＋の電圧を所定電圧（例えば、１０Ｖ）に安定化して、エミッタから出力する。
【００３７】
昇圧トランス３４に巻回された二次コイルＬ２の端子の一方は、コンデンサＣ１を介して冷陰極管７に接続され、二次コイルＬ２の端子の他方は、冷陰極管７に直接に接続されている。また、昇圧トランス３４に巻回された一次コイルＬ１の中点端子には直流電源Ｐ＋が導かれており、一次コイルＬ１の端部端子の一方はＦＥＴ３６のドレインに接続され、一次コイルＬ１の端部端子の他方はＦＥＴ３７のドレインに接続されている。また、昇圧トランス３４に巻回された帰還コイルＬ３の一方の端子はＦＥＴ３６のゲートに接続され、帰還コイルＬ３の他方の端子はＦＥＴ３７のゲートに接続されている。また、ＦＥＴ３６，３７のそれぞれのソースは接地されている。
【００３８】
ＦＥＴ３６，３７のそれぞれのゲートと接地レベルとの間には、ゲートのインピーダンスの上昇を抑制するとともに、分圧を行うための抵抗Ｒ６，Ｒ７が接続されている。また、ＦＥＴ３６，３７のそれぞれのゲートには、抵抗Ｒ４，Ｒ５を介して、トランジスタＱ２より送出される安定化された直流電圧が、バイアス電圧として導かれている。また、ＦＥＴ３６，３７のそれぞれのゲートにはダイオードＤ６，Ｄ７のアノードが接続され、ダイオードＤ６，Ｄ７のカソードは互いに接続されるとともに、トランジスタＱ１のコレクタに接続されている。また、トランジスタＱ１のベースは、抵抗Ｒ１を介して、信号入力端子３３に接続されている。また、トランジスタＱ１のベースと接地レベルとの間には、ベースインピーダンスの上昇を抑制する抵抗Ｒ２が接続されている。
【００３９】
信号入力回路５は、第１の出力端子３１から送出される信号と第２の出力端子３２から送出される信号とを信号入力端子３３に導く。このため、アノードが第１の出力端子３１に接続されたダイオードＤ１と、アノードが第２の出力端子３２に接続されたダイオードＤ２とを備えており、ダイオードＤ１のカソードとダイオードＤ２のカソードとは、互いに接続されるとともに、信号入力端子３３に導かれている。
【００４０】
信号入力回路５と昇圧回路６とは上記した構成となっている。このため、トランジスタＱ１は、第１の出力端子３１から送出されるレベル、または、第２の出力端子３２から送出されるレベルの少なくとも一方がＨレベルとなるときには、オン状態となり、第１の出力端子３１から送出されるレベルと第２の出力端子３２から送出されるレベルとの双方がＬレベルとなるときにのみ、オフ状態となる。
【００４１】
昇圧回路６は、トランジスタＱ１がオフ状態となるときには、ＦＥＴ３６，３７のゲートにバイアス電圧が印加されるので、ＦＥＴ３６，３７は交互にオンとオフとを繰り返し、一次コイルＬ１に流れる電流をスイッチングするので、二次コイルＬ２に高圧出力が発生する。一方、トランジスタＱ１がオン状態となるときには、ＦＥＴ３６，３７のゲート電圧は０Ｖ近傍となって、ＦＥＴ３６，３７はオフ状態となる。このため、トランジスタＱ１がオフ状態となるときには冷陰極管７は駆動され（放電管駆動状態）、トランジスタＱ１がオン状態となるときには冷陰極管７の駆動は停止される（駆動停止状態）。
【００４２】
上記構成からなる実施形態の動作についての説明に先立ち、昇圧回路６を放電管駆動状態と駆動停止状態とに交互に切り換えるときの切り換え周期と、冷陰極管７の輝度変化のスペクトラムの周波数との関係について説明する。
【００４３】
既に説明したように、冷陰極管７の点灯の開始時では、冷陰極管７が冷えており、内部のガス圧が低いために放電が不安定となる。そして、放電が不安定となる場合、冷陰極管７の輝度には、昇圧回路６のスイッチング周波数に対応した輝度変化が生じるとともに、放電の不安定さが原因となる輝度変化が生じる。
【００４４】
そして、放電の不安定さが原因となって生じた輝度変化のスペクトラム（周波数成分）は、昇圧回路６が連続的なスイッチング動作を行うとき（１００％のデューティ比で冷陰極管７を駆動するとき）では、図３（Ｂ）に示すスペクトラム５２ａ，５２ｂとなる。また、冷陰極管７の輝度を下げるために、約３．３ｍＳの周期で、放電管駆動状態と駆動停止状態とに切り換えるときでは、前記したスペクトラムは、５３ａ、５３ｂに示すスペクトラムとなる。すなわち、昇圧回路６が継続して冷陰極管７を駆動するときと、昇圧回路６が断続的に冷陰極管７を駆動するときとでは、放電の不安定さが原因となる輝度変化のスペクトラムの周波数が変化する。
【００４５】
また、放電の不安定さが原因となる輝度変化のスペクトラムについては、実機の実験結果から、以下に示す特性を有することも確かめられている。
【００４６】
すなわち、昇圧回路６の構成（昇圧トランス３４の構成やコンデンサＣ１の値、冷陰極管７までの経路の構成等）と、使用する冷陰極管７の種類とが同一である場合に、冷陰極管７を断続的に駆動すると、断続の周期が同一であるときには、スペクトラムの周波数は同じ周波数となる。また、断続の周期を変化させると、スペクトラムの周波数が変化する。つまり、断続の周期とスペクトラムの周波数との間には一定の関係が成立する。
【００４７】
言い換えると、冷陰極管７の放電が不安定となるときには、放電の不安定さが原因となって生じた輝度変化を示すスペクトラムが発生するが、このときのスペクトラムは、そのときどきに応じてランダムな周波数のスペクトラムとなるのではなく、断続の周期という条件に対し、その周波数がほぼ一定の関係を保って変化する。このことは、断続の周期を適切に設定するときでは、放電の不安定さが原因である輝度変化のスペクトラムの周波数を、赤外線信号１１１の搬送波の周波数（３６．７ＫＨｚ）から隔たった周波数とすることができることを意味する。すなわち、冷陰極管７の放電が不安定となるときにも、反射光４２２が受光部１０にとって悪影響を与える外乱ノイズとなることを防止できることを意味する。
【００４８】
図３（Ｄ）は、放電管駆動状態と駆動停止状態とに切り換える周期を１．２５ｍＳとした場合の冷陰極管７の輝度変化のスペクトラムを示している。すなわち、このときでは、放電の不安定さが原因となって生じた輝度変化のスペクトラム５４ａの周波数は、赤外線信号１１１の搬送波の周波数である３６．７ＫＨｚから隔たった周波数となっている。従って、反射光４２２が受光部１０に飛び込むときでも、受光部１０は、反射光４２２に邪魔されることなく、赤外線信号１１１により示される情報を誤りなく取り出すことができる。
【００４９】
図４は、実施形態の主要動作を示すフローチャート、図５は主要信号の波形を示す説明図である。必要に応じてこれらの図を参照しつつ、実施形態の動作を説明する。
【００５０】
時刻Ｔ１以前の電源オフ状態では、バックライト輝度制御手段４は、第２の出力端子３２にＨレベルを送出し、トランジスタＱ１をオン状態とすることによって、ＦＥＴ３６，３７のスイッチング動作を停止させている。すなわち、冷陰極管７を消灯状態に維持している（このときでは、初期駆動制御手段３が第１の出力端子３１に送出するレベルは、ＨレベルとＬレベルとのどちらでもよいが、本実施形態ではＬレベルを出力するようになっている）。
【００５１】
そして、時刻Ｔ１となったとき、リモコン１１等を用いて、電源オンの指示が入力されると、初期駆動制御手段３は、温度センサ１３によって検出された温度（冷陰極管７の環境温度）を読み取る（ステップＳ１，Ｓ２）。そして、読み取った温度に対応する初期駆動期間を算出する（ステップＳ３）。
【００５２】
図６は、温度センサ１３によって検出された環境温度と初期駆動期間との関係を示しており、本実施形態では、環境温度と初期駆動期間とを一次的な対応関係としている。そして、環境温度が０℃であるときには、冷陰極管７の温度が、放電が安定する温度まで温まるには長い期間を要するため、算出される初期駆動期間を３分としている。また、環境温度が４０℃であるときには、直ちに安定した放電が得られるとして、初期駆動期間を０分としている。
【００５３】
初期駆動期間の算出が終了すると、初期駆動制御手段３は、バックライト輝度制御手段４に指示を与えることによって、第２の出力端子３２に送出するレベルをＨレベルからＬレベルに変化させる（ステップＳ４）。そして後、第１の出力端子３１に、ＨレベルとＬレベルとを交互に出力することによって、冷陰極管７の駆動と駆動の停止と（放電管駆動状態と駆動停止状態との切り換え）を、１．２５ｍＳの周期（ｔ２により示す）でもって繰り返す。また、Ｌレベルのデューティ比を７０％とする。すなわち、初期駆動期間ｔ１においては、初期駆動制御手段３は、約０．８８ｍＳの期間（ｔ２Ｌにより示す）において、第１の出力端子３１にＬレベルを送出（放電管駆動状態に設定）し、約０．３７ｍＳの期間（ｔ２Ｈにより示す）において、第１の出力端子３１にＨレベルを送出（駆動停止状態に設定）する動作を繰り返す（ステップＳ５，Ｓ６）。
【００５４】
従って、初期駆動期間ｔ１では、冷陰極管７の温度が低く、内部のガス圧が低いため、放電が不安定となり、冷陰極管７の輝度変化には、昇圧回路６のスイッチングの周期とは異なる周波数のスペクトラム５４ａ，５４ｂが発生するが、スペクトラム５４ａの周波数は、赤外線信号１１１の搬送波（３６．７ＫＨｚ）の周波数からは隔たった周波数となる（図３（Ｄ）参照）。このため、電源オンの直後であり、冷陰極管７が冷えていることから、放電が不安定となるときにも、リモコン１１のキースイッチの操作が受け付けされないといった不具合の発生が防止される。
【００５５】
そして、冷陰極管７内の温度が高まり、ガス圧が高まって、放電が安定する時刻Ｔ２となったとき、すなわち、初期駆動期間ｔ１が経過したときには、初期駆動制御手段３は、第１の出力端子３１に送出するレベルをＬレベルに維持する。また、バックライト輝度制御手段４に、所定の制御を行うように指示を与える。
【００５６】
この指示が与えられたバックライト輝度制御手段４は、輝度が最大となるように設定されているときでは、第２の出力端子３２に送出するレベルをＬレベルに維持することによって、１００％のデューティ比でもって冷陰極管７を点灯させる（１２ａにより示す）。また、輝度が中程度となるように設定されているでは、約３．３ｍＳ（ｔ３により示す）の周期でもって、Ｌレベルの比率が７０％（ｔ３Ｌとｔ３Ｈとにより示す）となるように、第２の出力端子３２に送出するレベルを切り換える（１２ｂにより示す）。このため、冷陰極管７は７０％のデューティ比でもって点灯される。また、輝度が最小となるように設定されているときでは、約３．３ｍＳ（ｔ４により示す）の周期でもって、Ｌレベルの比率が５０％（ｔ４Ｌとｔ４Ｈとにより示す）となるように、第２の出力端子３２に送出するレベルを切り換える（１２ｃにより示す）。このため、冷陰極管７は５０％のデューティ比でもって点灯される（ステップＳ７）。
【００５７】
すなわち、バックライト輝度制御手段４は、時刻Ｔ２以後では、１００％や７０％、あるいは、５０％のデューティ比でもって、放電管駆動状態と駆動停止状態とに切り換える。また、その切り換えの周期は約３．３ｍＳとなっている。しかし、時刻Ｔ２以後では、冷陰極管７内のガス圧が高まっており、放電が安定しているので、冷陰極管７の輝度変化のスペクトラムは、図３（Ａ）に示すように、スイッチング周波数成分のみからなるスペクトラム５１となる。従って、反射光４２２は、受光部１０がリモコン１１からの赤外線信号１１１を受光するときの外乱ノイズにはならないので、リモコン１１の操作が受け付けされないという事態は発生しない。
【００５８】
なお、本発明は上記実施形態に限定されず、昇圧回路６については、信号入力端子３３に入力されるレベルがＨレベルとなるときにスイッチング動作を行う構成とすることもできる（この構成とするときでは、信号入力回路５の構成を変更するとともに、初期駆動制御手段３とバックライト輝度制御手段４とを、放電管駆動状態に設定するときにはＨレベルを送出する構成とする）。
【００５９】
また、初期対応周期については、１．２５ｍＳとした場合について説明したが、初期対応周期は、使用する冷陰極管７の種類や昇圧回路６の構成に従って変化するという特性があるので、実機に適したその他の値とすることができる。
【００６０】
また、初期駆動期間におけるデューティ比については、７０％とした場合について説明したが、例えば、９０％や８０％、あるいは６０％、等のように、周期との組み合わせにおいて、放電の不安定さが原因となって生じたスペクトラムの周波数を、赤外線信号１１１の搬送波の周波数から遠ざけることができる限りでは、その他の任意の値とすることができる。
【図面の簡単な説明】
【００６１】
【図１】本発明に係る液晶表示装置の一実施形態の電気的構成を示すブロック線図である。
【図２】信号入力回路と昇圧回路との詳細な電気的接続を示す回路図である。
【図３】冷陰極管（放電管）の輝度変化のスペクトラムを示す説明図である。
【図４】実施形態の主要動作を示すフローチャートである。
【図５】実施形態における主要信号の波形を示す説明図である。
【図６】冷陰極管（放電管）の環境温度と初期駆動期間との関係を示す説明図である。
【図７】液晶表示テレビ受像機の画面から放射された光が反射されて受光部に届く様子を示す説明図である。
【図８】従来技術の電気的構成を示す図である。
【符号の説明】
【００６２】
１  テレビ部制御手段
２  駆動状態切換手段
３  初期駆動制御手段
４  バックライト輝度制御手段
５  信号入力回路
６  昇圧回路
７  冷陰極管（放電管）
８  テレビ回路部
９  マイクロコンピュータ
１０  受光部
１１  リモートコントローラ
１３  温度センサ
２１  液晶パネル
３１  第１の出力端子
３２  第２の出力端子
３３  信号入力端子
３４  昇圧トランス
１１１  赤外線信号
Ｌ１  一次コイル
Ｌ２  二次コイル
ｔ１  初期駆動期間
ｔ２  初期対応周期
ｔ２Ｌ  放電管駆動状態の期間
ｔ２Ｈ  駆動停止状態の期間
【図１】
2006210024.tif 000003
【図２】
2006210024.tif 000004
【図３】
2006210024.tif 000005
【図４】
2006210024.tif 000006
【図５】
2006210024.tif 000007
【図６】
2006210024.tif 000008
【図７】
2006210024.tif 000009
【図８】
2006210024.tif 000010